(57)【要約】      （修正有）【課題】電子装置を安定して装着した状態で電子装置を制御し得る電子機器制御キットを提供する。【解決手段】キャリア１０を備えた電子機器制御キットであって、キャリアは、内側面１１１と外側面１１２を有し、電子装置を収容するフレーム１１と、フレーム内に設けられる第１の回路基板１２と、第１の回路基板と電気的に接続され、電子装置と連接するように内側面へ延伸する第１のポート１３と、第１の回路基板にそれぞれ電気的に接続され外側面へ延伸する２個の第２のポート１４とを備える。また、第２のポートに着脱可能にそれぞれ接続される２個のコントローラ２０を備える。【選択図】図１
0003228390.tif 000002
【実用新案登録請求の範囲】
【請求項１】
キャリアを備えた電子機器制御キットであって、
前記キャリアは、
内側面と外側面を有し、電子装置を収容するのに用いられるフレームと、
前記フレーム内に設けられる第１の回路基板と、
前記第１の回路基板と電気的に接続されると共に、前記電子装置と連接するように前記内側面へ延伸する第１のポートと、
前記第１の回路基板にそれぞれ電気的に接続されると共に前記外側面へ延伸する２個の第２のポートと、
前記２個の第２のポートに着脱可能にそれぞれ接続される２個のコントローラと、
を備えることを特徴とする電子機器制御キット。
【請求項２】
前記フレームは相対する上面と底面を更に備え、前記上面と前記底面は前記内側面と前記外側面の間に接続され、２個の前記コントローラはそれぞれ第１の突出部を備え、２個の前記コントローラの前記第１の突出部は前記上面に当接する
ことを特徴とする請求項１に記載の電子機器制御キット。
【請求項３】
前記フレームの前記外側面は２個のスライドスロットを有し、２個の前記第２のポートは前記スライドスロット内に位置し、２個の前記コントローラはそれぞれスライダを有し、２個の前記コントローラの前記スライダはそれぞれ前記スライドスロット内にスライド可能に設けられる
ことを特徴とする請求項１に記載の電子機器制御キット。
【請求項４】
２個の前記コントローラはそれぞれ前記第２のポートに対応するコネクタを備え、前記コネクタは前記スライダに設けられる
ことを特徴とする請求項３に記載の電子機器制御キット。
【請求項５】
前記第２のポートは金属の弾性を有する端子であり、前記コネクタは金属の導電性端子である
ことを特徴とする請求項４に記載の電子機器制御キット。
【請求項６】
２個の前記コントローラは第１のバッテリを備え、
前記第１のバッテリは前記コネクタと電気的に接続される
ことを特徴とする請求項４に記載の電子機器制御キット。
【請求項７】
キャリアを備えた電子機器制御キットであって、
前記キャリアは、
２個の荷重受けスロットを備えたハウジングと、
前記ハウジング内に設けられる第２の回路基板と、
前記第２の回路基板に電気的に接続される第２のバッテリと、
前記第２の回路基板に電気的に接続されると共に、それぞれが２個の前記荷重受けスロットから延伸する２個の第３のポートと、
２個の前記荷重受けスロットに着脱可能に設けられると共に、２個の前記第３のポートと電気的に接続される２個のコントローラと、
を備えることを特徴とする電子機器制御キット。
【請求項８】
前記キャリアは２個の振動部を更に備え、２個の前記振動部は前記第２の回路基板と電気的に接続されている
ことを特徴とする請求項７に記載の電子機器制御キット。
【考案の詳細な説明】
【技術分野】
【０００１】
本考案は電子機器制御キットに関し、特に、電子装置を安定して装着した状態で電子装置を制御し得る電子機器制御キットに関する。
【背景技術】
【０００２】
携帯型電子装置は通信機能を提供することができる他、ゲーム機としても利用することができる。また、現在多くの携帯型電子装置の操作インターフェースはタッチインターフェースである。
【０００３】
しかし、ユーザが携帯型電子装置を使用してゲームをプレイする際、タッチインターフェースを介して細かい操作を行うことは困難であり、一般的な手持ち式のゲーム機の操作性と比較すると、タッチインターフェースでゲームをするとその操作性が十分とは言い難い。
【０００４】
このため、従来の方法では、ジョイスティック、ゲーム用パッド、ハンドル等の外部装置に加えて、ワイヤレス通信によってポータブル電子機器を接続し、ゲームの操作性を高める工夫がなされていた。
【考案の概要】
【考案が解決しようとする課題】
【０００５】
しかし、このワイヤレス通信で接続してゲームを行うと、ワイヤレス通信による通信品質の影響を強く受けてしまいリアルタイム性が損なわれる場合があり、僅かなタイムラグですらゲームの性質上問題となり得る種類のゲームの場合にはユーザの満足が得られないことがあった。
【０００６】
本考案はこのような問題に鑑みて、フレーム上に位置決め構造が設けられ、この位置決め構造によりゲーム機等の電子装置の脱落を防止して、しっかりと固定した状態でゲームを行える電子機器制御キットを提供することを目的とする。
【課題を解決するための手段】
【０００７】
本考案はこのような課題に鑑みて以下の構成を備える。
キャリアを備えた電子機器制御キットであって、
前記キャリアは、
内側面と外側面を有し、電子装置を収容するのに用いられるフレームと、
前記フレーム内に設けられる第１の回路基板と、
前記第１の回路基板と電気的に接続されると共に、前記電子装置と連接するように前記内側面へ延伸する第１のポートと、
前記第１の回路基板にそれぞれ電気的に接続されると共に前記外側面へ延伸する２個の第２のポートと、
前記２個の第２のポートに着脱可能にそれぞれ接続される２個のコントローラと、
を備える。
【０００８】
また、前記フレームは相対する上面と底面を更に備え、前記上面と前記底面は前記内側面と前記外側面の間に接続され、２個の前記コントローラはそれぞれ第１の突出部を備え、２個の前記コントローラの前記第１の突出部は前記上面に当接する。
【０００９】
また、前記フレームの前記外側面は２個のスライドスロットを有し、２個の前記第２のポートは前記スライドスロット内に位置し、２個の前記コントローラはそれぞれスライダを有し、２個の前記コントローラの前記スライダはそれぞれ前記スライドスロット内にスライド可能に設けられる。
【００１０】
更に、２個の前記コントローラはそれぞれ前記第２のポートに対応するコネクタを備え、前記コネクタは前記スライダに設けられる。
【００１１】
また、前記第２のポートは金属の弾性を有する端子であり、前記コネクタは金属の導電性端子である。
【００１２】
また、２個の前記コントローラは第１のバッテリを備え、
前記第１のバッテリは前記コネクタと電気的に接続される。
【００１３】
また、キャリアを備えた電子機器制御キットであって、
前記キャリアは、
２個の荷重受けスロットを備えたハウジングと、
前記ハウジング内に設けられる第２の回路基板と、
前記第２の回路基板に電気的に接続される第２のバッテリと、
前記第２の回路基板に電気的に接続されると共に、それぞれが２個の前記荷重受けスロットから延伸する２個の第３のポートと、
２個の前記荷重受けスロットに着脱可能に設けられると共に、２個の前記第３のポートと電気的に接続される２個のコントローラと、
を備える。
【００１４】
更に、前記キャリアは２個の振動部を更に備え、２個の前記振動部は前記第２の回路基板と電気的に接続されている。
【考案の効果】
【００１５】
本考案による電子機器制御キットは、フレーム上に位置決め構造が設けられ、この位置決め構造によりゲーム機等の電子装置の脱落を防止することができる。
【図面の簡単な説明】
【００１６】
【図１】コントローラを取り外した状態を説明する本考案の分解図である。
【図２】コントローラを電子装置に取り付けた場合を説明する本考案の外観図である。
【図３】本考案の電子機器制御キットを説明する側面図である。
【図４】本考案の他の実施形態を説明する分解斜視図である。
【図５】本考案の他の実施形態を説明するコントローラの斜視図である。
【考案を実施するための形態】
【００１７】
図１と図２を参照して本考案の実施形態を説明する。なお、以下の説明において上、下、左、右とは特に断りがない限り図面の構成要素が示す方向を意味するものとする。ここで、図１はコントローラを取り外した状態を説明する本考案の分解図であり、図２はコントローラを電子装置に取り付けた場合を説明する外観図である。なお、本考案の電子機器制御キットは、電子装置Ｅの使用に適しているが、この電子装置Ｅは、例えばスマートフォン、タブレットコンピュータ、又は携帯型電子ゲーム機であるが、これらに限定されるものではない。
【００１８】
図１と図２に示すように、本考案の電子機器制御キットは、キャリア１０と２個のコントローラ２０を備える。キャリア１０は電子装置Ｅを運搬し且つ電子装置Ｅと電気的に接続するために用いられる。また、２個のコントローラ２０はキャリア１０に着脱可能に接続される。これにより、２個のコントローラ２０と電子装置Ｅとが電気的に接続され電子装置Ｅをコントローラ２０で制御することができる。
【００１９】
本実施形態において、キャリア１０は、フレーム１１と、第１の回路基板１２と、第１のポート１３と、第２のポート１４とを備える。第１の回路基板１２はフレーム１１内に設けられる。また、第１のポート１３と第２のポート１４は第１の回路基板１２に電気的に接続され、第１のポート１３がフレーム１１の内側面１１１に向けて延伸し、電子装置Ｅに接続するのに用いられる。また、第２のポート１４はフレーム１１の外側面１１２に向けて延伸する。一対のコントローラ２０はそれぞれ２個の第２のポート１４に着脱可能に連接されている。
【００２０】
図１および図２を参照すると、本実施形態では、フレーム１１は、電子装置Ｅの外縁を覆うセット空間Ｓを備えた中空のフレーム構造である。また、フレーム１１は内側面１１１と外側面１１２とが表裏になっており、内側面１１１はフレーム１１のセット空間Ｓに向いた面であり、その反対側は外側面１１２である。
【００２１】
本実施形態では、フレーム１１の内側面１１１によって形成される輪郭形状と大きさが電子装置Ｅの外縁の形状と大きさに対応しているため、電子装置Ｅをフレーム１１のセット空間Ｓ内に収容して内側面１１１に嵌合させることができる。 
【００２２】
本実施形態では、フレーム１１と組み合わされた（取り付けられた）後の電子装置Ｅの安定性を高めるために、フレーム１１は熱可塑性ポリウレタンエラストマー（ＴＰＵ）又はシリコーン等の柔らかく摩擦力のある材料で作られる。このため、フレーム１１と電子装置Ｅとの摩擦力により、電子装置Ｅをフレーム１１に安定して組み合わせることができる。
【００２３】
続いて、図２、図３を参照して本考案の実施形態を説明する。ここで、図３は本考案の電子機器制御キットを説明する側面図である。
【００２４】
図２、図３に示すように、フレーム１１の内側面１１１と外側面１１２は、互いに反対側に位置する上面１１３と底面１１４を有する。また、本実施形態では、フレーム１１は中空構造を有する。したがって、電子装置Ｅは、フレーム１１と組み合わされた後、電子装置Ｅの外周縁によってフレーム１１の内側面１１１に接触し、他の部分はフレーム１１に接触しない。
【００２５】
他の実施形態としては、図２と図３に示すように、フレーム１１と組み合わされた後の電子装置Ｅの安定性を高めるために、位置決め構造１１５がフレーム１１上に設けられ、この位置決め構造１１５により電子装置Ｅの脱落を防止することができる。図３に示すように、一対の位置決め構造１１５は内側面１１１の底面１１４側から互いに近づくようにセット空間Ｓの中央に向かって延伸する。
【００２６】
本実施形態では、位置決め構造１１５は、図３に示すようにフレーム１１の底面１１４に接続される。このように、位置決め構造１１５はセット空間Ｓと重なり、位置決め構造１１５は、底面１１４の方向から電子装置Ｅが外れないように制限する。なお、位置決め構造１１５は、フレーム１１の角（四隅）に位置するように、フレーム１１の底面１１４から延伸させても良いが、これには限られない。
【００２７】
なお、位置決め構造１１５の形状は、三角形にしても良く、平行に配置し又は互い違いに配置したシート構造であってよい。要するに、底面１１４の方向から電子装置Ｅが外れなければ差し支えない。
【００２８】
本実施形態では、位置決め構造１１５の面積は、限定されないが、セット空間Ｓの輪郭の面積よりも小さくてもよい。つまり、フレーム１１の底面１１４の一辺を完全に封止せずに隙間を開け、セット空間Ｓと共に電子装置Ｅの熱を放熱するための隙間を確保しても良い。
【００２９】
本実施形態では、図１に示すように、第１の回路基板１２はキャリア１０のフレーム１１の内側に収容される。また、本実施形態では、第１の回路基板１２は、フレキシブルプリント回路基板（Ｆｌｅｘｉｂｌｅ  Ｐｒｉｎｔｅｄ  Ｃｉｒｃｕｉｔ，  ＦＰＣ）であるが、これには限られない。本実施形態ではフレキシブルプリント回路基板を用いたので、第１の回路基板１２をフレーム１１の形状に合わせて曲げて、フレーム１１内に実装することができる。
【００３０】
本実施形態では、図１と図２に示すように、第１のポート１３は第１の回路基板１２の一方の面（セット空間Ｓ側）に電気的に接続され、第２のポート１４は第１の回路基板１２の他方の面（セット空間Ｓから遠い方の面）に電気的に接続される。これによれば、第１の回路基板１２がフレーム１１の内部に収容されている場合、第１のポート１３はフレーム１１の内側面１１１から延伸し、第２のポート１４はフレーム１１の外側面１１２から延伸することとなる。
【００３１】
これにより、電子装置Ｅをフレーム１１のセット空間Ｓに配置して第１のポート１３に接続することができ、一対のコントローラ２０を、フレーム１１を両側から挟み込むように外側面１１２に配置して、第２のポート１４に接続することができる。
【００３２】
これにより、電子装置Ｅとコントローラ２０は、それぞれ第１の電気回路基板１２と電気的に接続され、コントローラ２０を介して電子装置Ｅを制御することができる。なお、本実施形態では、一対の第２のポート１４は、フレーム１１の外側面１１２の互いに反対側に位置する両サイド（フレーム１１の右側と左側）に配置される。
【００３３】
本実施形態において、第１のポート１３はユニバーサルシリアルバス（Ｕｎｉｖｅｒｓａｌ  Ｓｅｒｉａｌ  Ｂｕｓ，  ＵＳＢ）、ミニユニバーサルシリアルバス（Ｍｉｎｉ  Ｕｎｉｖｅｒｓａｌ  Ｓｅｒｉａｌ  Ｂｕｓ，  Ｍｉｎｉ  ＵＳＢ）若しくはＴｙｐｅ−Ｃインターフェースである。また、第２のポート１４は金属の導電性端子であっても良い。
【００３４】
本実施形態では、図１から図３に示すように、各コントローラ２０は、本体２１とコネクタ２２を有する。本体２１は、図３に示すように、互いに反対側に位置する操作面２１１と背面２１２に加え、これら操作面２１１及び背面２１２に接続されると共に互いに反対側の第１の側面２１３と第２の側面２１４を有する。
【００３５】
操作面２１１には、ユーザが操作するための制御部品Ｃが設けられる。なお、制御部品Ｃは、ジョイスティック、十字キー、ボタン、アナログスティックであってもよいが、これらには限定されない。また、コネクタ２２は、第２のポート１４に対応するように第１の側面２１３に設けられる。
【００３６】
本実施形態では、図１から図３に示すように、コントローラ２０の操作面２１１は、第１の突出部２１１１と第２の突出部２１１２をさらに有し、図３に示すように、第１の突出部２１１１は第１の側面２１３から突出し、第２の突出部２１１２は第２の側面２１４から突出する。
【００３７】
このように、第１の突出部２１１１と第２の突出部２１１２が形成されることにより、操作面２１１の面積は背面２１２の面積よりも広くなる。換言すると、背面２１２に対して本体２１の操作面２１１が突出する部分を、第１の突出部２１１１と第２突出部２１１２と言うこともできる。
【００３８】
したがって、この実施形態では、図１から図３に示すように、コントローラ２０の第１の側面２１３がフレーム１１に向かうように組み立てられる。コントローラ２０がフレーム１１に取り付けられた後、第１の側面２１３から突出する第１の突出部２１１１は、フレーム１１の上面１１３の一部を覆うように延伸する。
【００３９】
このようにして、コントローラ２０は、コネクタ２２を介して第２のポート１４と組み合わされる。加えて、コントローラ２０は、第１の突出部２１１１を介してフレーム１１に被さる（一部を覆う）ことができ、これにより、フレーム１１はコントローラ２０を支持することができる。
【００４０】
したがって、ユーザがコントローラ２０をフレーム１１に取り付けて操作する場合、フレーム１１は、コントローラ２０を支持するので、操作者により下向きの力（底面１１４側への力）が加えられてもコントローラ２０の脱落を防止することができる。また、ユーザがコントローラ２０を握って操作する場合、ユーザの手のひらは、第２の側面２１４から突出する第２の突出部２１１２に密着することができる。
【００４１】
このように、ユーザがコントローラ２０をフレーム１１に取り付けて操作するとき、コントローラ２０は、第２の突出部２１１２によってユーザの手のひらを安定して支えることができ、手で持って操作する際の安定性を向上させることができる。
【００４２】
本実施形態では、図１と図２に示すように、キャリア１０上に取り付けられたコントローラ２０の構造的な安定性を高めるために、キャリア１０のフレーム１１とコントローラ２０の関係は、凹と凸を組み合わせて互いを接続して外れにくい構造となっている。具体的には、フレーム１１の外側面１１２には凹状に形成され且つ外側面１１２に沿って延伸するスライドスロット１１２１が形成される。なお、スライドスロット１１２１の断面は凹状であるがこの実施形態では略Ｃ字型に形成される。
【００４３】
また、後述する図４に示すようにコントローラ２０の第１の側面２１３には、スライドスロット１１２１に対応するように第１の側面２１３に沿って延伸する凸状のスライダ２１３１が形成される。また、凸状のスライダ２１３１は開放端が、スライダ２１３１の延伸方向と直交する方向に張り出しており、この張り出しが略Ｃ字型のスライドスロット１１２１と嵌合する。
【００４４】
また、コントローラ２０のスライダ２１３１はフレーム１１のスライドスロット１１２１内にスライド可能に配置される。また、コントローラ２０はスライダ２１３１によってスライドスロット１１２１の凹状の溝の下側の限界まで移動すると、移動が制限される。
【００４５】
したがって、コントローラ２０とフレーム１１との間は、スライドスロット１１２１とスライダ２１３１によって移動が制限されるので、コントローラ２０が凹状のスライドスロット１１２１をそのまま通り抜けて脱落することを防止することができ、更に略Ｃ字型の凹溝と凸部を組み合わせているのでスライド方向に直交する水平方向にも脱落しない。
【００４６】
さらに、図１と図２に示すように、フレーム１１にスライドスロット１１２１が設けられている実施形態では、第２のポート１４はスライドスロット１１２１に配置されている。そして、この実施形態では、第２のポート１４はスライドスロット１１２１から突出する金属の弾性を有する端子であってもよい。
【００４７】
さらに、コントローラ２０のコネクタ２２はスライダ２１３１の表面に設けられ、コネクタ２２はフレーム１１の第２のポート１４に接触して電気的な接続を得られる金属の導電性端子であっても良い。
【００４８】
本実施形態では、図１と図２に示すように、スライドスロット１１２１は、図１の上側に形成されたスロット開口部１１２２と、スライドスロットの図１の下側に形成されたスロット底部１１２３を有する。
【００４９】
コントローラ２０のスライダ２１３１は、スロット開口部１１２２側からスライドスロット１１２１内にスライド可能に挿入され、スロット底部１１２３によって、コントローラ２０が更に図１の下側にスライドして外れないようにするために移動を制限する。
【００５０】
本実施形態では、図１と図２に示すように、コントローラ２０は、第１のバッテリ２３および発光コンポーネント２４をさらに含むことができる。この実施形態では、第１のバッテリ２３と発光コンポーネント２４はそれぞれコネクタ２２に電気的に接続され、第１のバッテリ２３と発光コンポーネント２４はそれぞれコントローラ２０内に設けられる。ここで、発光部品２４は線状の発光体である。
【００５１】
コントローラ２０を使用して電子装置Ｅを制御してゲームをプレイするとき、発光コンポーネント２４は第１の回路基板１２の制御に従って発光して光と影の効果を提供できる。また、第１のバッテリ２３は発光コンポーネント２４に必要な電力を提供する。
【００５２】
図４と図５を参照して説明する。ここで、図４は本考案の他の実施形態を説明する分解斜視図である。また、図５は本考案の他の実施形態を説明するコントローラの斜視図である。コントローラ２０が第１のバッテリ２３を含む実施形態では、電子機器制御キットのキャリア３０は、別の外観形態を有することができる。キャリア３０は、ハウジング３１、第２の回路基板３２、第２のバッテリ３３、及び２個の第３のポート３４を備える。
【００５３】
本実施形態では、図４と５に示すように、キャリア３０のハウジング３１は、中間部３１１と２個のグリップ部３１２を含み、２個のグリップ部３１２は中間部３１１の両サイドにそれぞれ接続される。また、本実施形態では、グリップ部３１２は、弧状の外面を有し、荷重受けスロット３１２１は、グリップ部３１２にそれぞれ位置する。
【００５４】
ハウジング３１のグリップ部３１２は凹むように形成された２個の荷重受けスロット３１２１を有し、第２の回路基板３２はハウジング３１内に設けられ、第２のバッテリ３３及び２個の第３のポート３４は第２の回路基板３２に電気的に接続される。また、２個の第３のポート３４は２個の荷重受けスロット３１２１にそれぞれ延伸する。
【００５５】
２個のコントローラ２０は、２個の荷重受けスロット３１２１に着脱可能に設けられ、２個の第３のポート３４と電気的に接続される。ここで、第３のポート３４は金属の弾性を有する端子であり得る。
【００５６】
そして、２個の荷重受けスロット３１２１には、２個のコントローラ２０をそれぞれ配置することができ、ユーザは弧状のグリップ部３１２を握ってコントローラ２０の操作を行うことができ、快適に握ることができる。
【００５７】
ここで、２個のコントローラ２０がキャリア３０の荷重受けスロット３１２１に差し込まれるように組み合わされると、コントローラ２０の第１の突出部２１１１は、ハウジング３１の中間部３１１の一部の上に覆いかぶさり、キャリア３０に取り付けられたコントローラ２０の構造的な安定性を提供すると共に、ユーザの使用時の安定性を向上することができる。
【００５８】
さらに、コントローラ２０が荷重受けスロット３１２１に取り付けられ、第３のポート３４と電気的に接続されると、キャリア３０内の第２の回路基板３２は第２のバッテリ３３を制御して、コントローラ２０の充電スタンドとして使用するように、コントローラ２０の第１のバッテリ２３を充電することができる。なお、コントローラ２０の充電モードはこれに限定されるものではなく、各コントローラ２０は、当業者の選択によって充電ケーブルで個別に充電しても良い。
【００５９】
本実施形態では、図４に示すように、キャリア３０は、２個の振動部３５をさらに含む。各振動部３５は、ハウジング３１の内部に配置され、第２の回路基板３２に電気的に接続される。したがって、コントローラ２０をキャリア３０に取り付けて使用する場合、第２の回路基板３２は、コントローラ２０を用いて電子装置Ｅを制御してゲームをプレイする場合、第２の回路基板３２の制御下で、振動部３５をゲームの状況（例えば敵からダメージを受けた場合等）に応じて振動させることができ、リアリティ性が向上する。なお、本実施形態では、振動部３５は、モータで構成しているが、これには限られない。
【００６０】
以上のように、本実施形態において、キャリア３０はコントローラ２０と組み合わせて手持ち式のゲーム用ジョイスティックとして使用することができ、コントローラ２０はキャリア３０に取り付けられ、その他の電子装置と電気的に接続して使用できる。また、キャリア３０を介して充電を行うこともでき、使用上の利便性を高められる。
【００６１】
本考案のこれらの実施形態は例示に過ぎず、本考案の実質的な内容から逸脱しない限り、当業者は本考案に基づいて様々な改変や変形ができるが、これらの改変等を行った考案についても本考案の請求の範囲に含まれるものとする。
【符号の説明】
【００６２】
１０      キャリア
２０      コントローラ
Ｅ        電子装置
１１      フレーム
１２      第１の回路基板
１３      第１のポート
１４      第２のポート
Ｓ        セット空間
１１１    内側面
１１２    外側面
１１３    上面
１１４    底面
１１５    位置決め構造
２１１    操作面
２１３    第１の側面
２１４    第２の側面
２１１１  第１の突出部
２１１２  第２の突出部
１１２１  スライドスロット
２１３１  スライダ
１１２２  スロット開口部
１１２３  スロット底部
２３      第１のバッテリ
２４      発光コンポーネント
３０      キャリア
３１      ハウジング
３１２１  荷重受けスロット
３２      第２の回路基板
３３      第２のバッテリ
３４      第３のポート
３１１    中間部
３１２    グリップ部
３５      振動部
【図１】
0003228390.tif 000003
【図２】
0003228390.tif 000004
【図３】
0003228390.tif 000005
【図４】
0003228390.tif 000006
【図５】
0003228390.tif 000007